(57)【要約】      （修正有）【課題】ゴルフのパットとショートスイング動作を模擬練習する装置を提供する。【解決手段】スライドレール１、スライド座２、支え棒３、座棒４及び補助支え板５を含み、スライドレールはスライド座が滑り動くように結合し、スライドレールは支え棒に固定され、支え棒は伸縮可能に座棒に挿入されて直立固定し、スライドレールの本体は少々上へ彎曲する弧形レール溝１１を具え、スライド座が往復に滑り動くように誘導し、スライドレールは微小な傾斜角度を具え、スライド座は補助支え板と結合し、それによって、ゴルフのパットを補助支え棒に取り付けて同時にグリップに供され、一定のスライド行程により、正確なパットまたはショートスイング動作の模擬軌跡の築き上げの助けとなる。【選択図】図１
0003161529.tif 000002
【実用新案登録請求の範囲】
【請求項１】
スライドレール、スライド座、支え棒、座棒及び補助支え板を含む、ゴルフのパットとショートスイング動作を模擬する練習機であって、
スライドレールは選定された行程を具えるレール座で、両端がともに閉鎖状であり、スライド座と滑り動く状態の結合を形成するとともに、支え棒の上端に固定され、スライドレールの本体に少々上へ彎曲する弧形レール溝が設けられ、
スライド座が自由に往復滑り動くことに供され、スライド座はスライドレールの弧形レール溝と互いに組み合わせた滑り動きの結合に現われ、それによってスライド座はスライドレールに於いてスムーズに往復滑り動くことができ、
支え棒の上端にはスライドレールが固定結合され、その下端は伸縮するよう座棒に挿入されて植え立て固定を形成し、座棒は地面に立てられ、
補助支え板はスライド座の側面と結合し、一端が相対してスライド座の締め付け部に締め付け固定され、外の他端がグリップ部を具え、
上述ゴルフのパットとショートスイング動作を模擬する練習機の構成により、スライドレールの弧形レール溝を用いてスライド座を往復滑り動かすように案内し、ゴルフのクラブを補助支え板のグリップ部に寄せ付け、同時にゴルフのクラブをグリップして揺れ動かし、これによってスライド座の一定した不変の滑り動き行程を通過し、正確なパットまたはショートスイング動作を模擬練習することを特徴とする、ゴルフのパットとショートスイング動作を模擬する練習機。
【請求項２】
前記スライドレールは微小な側傾き角度を備えることを特徴とする、請求項１記載のゴルフのパットとショートスイング動作を模擬する練習機。
【請求項３】
前記スライドレールの本体は弧形レール溝と組合せられ、同じく微小な上向き彎曲の形状に現れることを特徴とする、請求項１記載のゴルフのパットとショートスイング動作を模擬する練習機。
【請求項４】
前記スライド座と前記スライドレールは線形スライドレールセットから配置構成されたことを特徴とする、請求項１記載のゴルフのパットとショートスイング動作を模擬する練習機。
【請求項５】
前記座棒の底部には底板が敷設結合されてあることを特徴とする、請求項１記載のゴルフのパットとショートスイング動作を模擬する練習機。
【請求項６】
前記補助支え板と前記スライド座は一体成型に現れることを特徴とする、請求項１記載のゴルフのパットとショートスイング動作を模擬する練習機。
【請求項７】
前記補助支え板は前記スライドレールの内側面に結合されてあることを特徴とする、請求項１記載のゴルフのパットとショートスイング動作を模擬する練習機。
【請求項８】
前記補助支え板は前記スライドレールの外側面に結合されてあることを特徴とする、請求項１記載のゴルフのパットとショートスイング動作を模擬する練習機。
【考案の詳細な説明】
【技術分野】
【０００１】
本考案はゴルフ(golf)のパット(putt)とショートスイング(short swing)動作を模擬する練習機に係り、特にゴルフの初心者が正確なパットとショートスイング等動作を快速に習い適応することの協力に用いられるものに関する。
【背景技術】
【０００２】
ゴルフ運動に対し、如何にして正確な打撃動作とクラブ(club)のスイング姿勢を築き上げることを習うのは入門初心者の重要な課題である。そこで、初心者は繰り返し不断な動作の模擬練習を通じ、逐次正確なスイングまたはパット等打撃動作に適応し、それからゴルフボール(ball)の飛ぶ径路方向及び移動距離に慣れて把握することができるので、初心者は繰り返し練習を行い、一貫して変わらない正確なスイング動作を養成しなければならない。ところが、初心者の多くは通常グリン(green)、芝生または不特定場所でスイングの動作を行うので、毎回の模擬動作または姿勢は同じにならなく、個人の当時の感覚で模索し、短期間内で確実に正確な打撃動作を習得することは難しく、かつ即時有効な矯正が得られなく、そのために長期間にまと外れしたことに気づかず、往々にして長期間の経験を積み重ねてから心得ることになる。
【考案の概要】
【考案が解決しようとする課題】
【０００３】
本考案の主な目的はゴルフのパットとショートスイング動作を模擬する練習機の設計を提供するもので、それはスライドレール(slide rail)とスライド座の滑り結合を用い、スライドレールの弧形レール溝をもってスライド座が往復に滑り動くよう案内し、これによって正確なパット径路を築き、並びに本当のゴルフクラブのグリップ(grip)と組合せ、パットとショートスイングの軌跡の模擬練習を行うので、初心者は快速に適応することができ、かつ直ちにパットとスイングの動作を修正し、短時間内に於いて正確なパットとスイングの動作を習得することができる。
【０００４】
本考案の次の目的は構造が精巧簡単だけでなく、かつ使用が便利であり、前述レールは支え棒に固定され、支え棒は伸縮調整できる方式をもって座棒に挿入結合し、それによってレールの高さは調整変更可能になり、身長の違う初心者に対してともに適用するゴルフのパットとショートスイング動作を模擬する練習機の設計を提供するものである。
【０００５】
本考案のまた一つの目的は、前記スライドレールの弧形レール溝は少々上へ彎曲し、スライドレールには微小な側傾き角度を具え、それによって一定不変の滑り動き行程を構成することができ、正確なパットまたはショートスイング動作の模擬軌跡を築くことができるゴルフのパットとショートスイング動作を模擬する練習機の設計を提供するものである。
【課題を解決するための手段】
【０００６】
本考案は、ゴルフのパットとショートスイング動作を模擬する練習機であり、それはスライドレール、スライド座、支え棒、座棒及び補助支え板を含み、スライドレールはスライド座を滑り動かすよう結合し、スライドレールは支え棒に固定され、支え棒は伸縮可能に座棒に挿入されて植え立て固定し、スライドレール本体は少々上へ彎曲する弧形レール溝を具え、それはスライド座が往復に滑り動かすよう案内し、スライドレールは微小な側傾き角度を具え、スライド座は補助支え板と結合し、それによってゴルフのパットを補助支え棒に寄せ付けて同時のグリップに供され、一定不変の滑り動かし行程により、正確なパットまたはショートスイング動作の模擬軌跡の築き上げを協力する。
【図面の簡単な説明】
【０００７】
【図１】本考案の組合せ立体図である。
【図２】本考案の補助支え板を分解した立体意表図である。
【図３】本考案の組合せ平面図である。
【図４】本考案の組合せ正面図である。
【図５】本考案の組合せ側面図である。
【図６】本考案の別の角度の組合せ立体図である。
【図７】本考案のスライドレールとスライド座の組合せ意表図である。
【図８】本考案とゴルフのクラブが寄せ付ける前の意表図である。
【図９】本考案の使用状態の正面図である。
【図１０】本考案の使用状態の側面図である。
【図１１】本考案の別の同等効果の実施例の説明図である。
【考案を実施するための形態】
【０００８】
図１から図６に示すように、本考案が行う「ゴルフのパットとショートスイング動作を模擬する練習機」の設計はスライドレール1、スライド座2、支え棒3、座棒4及び補助支え板5を含む。
【０００９】
スライドレール1、それは選定された行程を具えるレール座であり、両端は閉鎖状で、かつスライド座2と滑り動かす状態に現れる結合を形成し、スライドレール1は支え棒3の上端に固定され、本体には少々上へ彎曲する弧形レール溝11を具え、それはスライド座2が自由に往復滑り動かすよう案内し（図４に示すように）、かつスライドレール1は微小な側傾き角度を具え（図５に示すように）、または前記スライドレール1の本体は弧形レール溝11と組み合わせて同じく少々上へ彎曲する形状に現れる。
【００１０】
スライド座2、図２に示すように、それはスライドレール1の弧形レール溝11と互いに組み合わせられて滑り動かしの結合に現われ、例として線形レール組の配置を選択して実施例としているが（図7に示すように、スライド座2内にはローラエレメント(roller element)21が設けられる）、スライド座2とスライドレール1の滑り動かし結合の実施構成は特に制限する必要がなく、スライド座2がスライドレール1内でスムーズに往復滑りができればよい。
【００１１】
支え棒3、それはスライドレール1が上端での結合に用いられ、棒の下端は伸縮可能に座棒4に挿入されて植え立ち固定を形成し、必要時は支え棒3と座棒4の伸縮結合を調整してもよく、それによってスライドレール1の取り付け高さを変更し、身長の違う初心者はすべて適用することができる。
【００１２】
座棒4、それは地面に立つことに用いられ、図面に示すように、座棒4の底部に更に底板6を敷設結合させ、かつ底板6の表面に予め二つの足印61が設けられ、使用者の踏み付け対照参考に用いられる。
【００１３】
補助支え板5、それはスライド座2の側面に付随結合し、それの一端は相対してスライド座2に締め付け固定される締め付け部51であり、他の一端にはゴルフクラブ7の寄せ付けに用いられるグリップ部52を具える（図面に示すのはパットに使われるパター7である）。
【００１４】
上述ゴルフのパットとショートスイング動作を模擬する練習機の構成はスライドレール1の弧形レール溝11を用い、スライド座2が往復滑りを形成するよう案内し、使用時はゴルフのクラブ7を補助支え板5のグリップ部52に寄せ付け、同時にゴルフのクラブ7をグリップして揺動し、これによってスライド座2の一定不変のスライド行程を通過し、更に進んで正確なゴルフのパット（またはショートスイング）動作を模擬練習する。図８から図10に示すのはパットの動作を模擬した状態の意表図であり、特にパットに使われるパター7を採用しているが、必要時はショートスイングに使われるクラブに変えてもよく、使用上には制限がない。
【００１５】
また、上述スライドレール1及び弧形レール溝11の全体長さはパットまたはショートスイングに必要な軌跡行程によって増減または変更することができ、例えばパットに必要な軌跡行程はやや短いが、ショートスイングに必要な軌跡行程は相対してやや長いので、スライドレール1及び弧形レール溝11の全体長さは予め適当な長さにし、図面に開示されるスライドレール1は代表的実施例だけであり、それはスライドレール1及び弧形レール溝11の全体長さを制限するものではない。
【００１６】
上述補助支え板5は、スライドレール1に微少な外向きの側傾き角度を具え、グリップ部52にも同じな側傾き角度を具えるので（図５を参照ください）、ゴルフクラブ7はグリップ部52に寄せ付けられてグリップすることができ、この場合ゴルフクラブ7は同じく正確なグリップ姿勢に符合する角度を具える（図10に示す如く）。以上は本考案が取り上げた実施例だけであり、同じ原理の応用に基づき、相対した同等効果の実施例を実施してもよく、例えば前記スライドレール1に微少な外向きの側傾き角度を具えない場合、補助支え板5のグリップ部52に上記側傾き角度と同じな折り曲げ角度を形成してもよく、そのためにグリップ部52の側傾き折り曲げを用いて、ゴルフクラブ7が寄せ付けられてグリップされた場合、依然正確なグリップ姿勢に符合する同じ角度を維持することができる。
【００１７】
このほか、上述補助支え板5とスライド座2は、必要時に二つの部材を一体成型に実施してもよく、例えばスライド座2の一端を延伸してグリップ部52を具える補助支え板5に形成してもよい。
【００１８】
図11に示すのは別の同等効果の実施例であり、同じ設計手段に基づき、補助支え板5を逆方向にスライドレール1の別の一側に結合するだけで同じ効果を得ることができ、補助支え板5をスライドレール1の内、外側面に結合しても、すべては実行可能の実施形態である。
【００１９】
本考案の構成により、前記支え棒3と座棒4の接続結合は唯一可能な実施でなく、例えば支え棒3と座棒4を枢接または折り畳み等各種構造を採用して簡易の取替えを行ってもよく、それ故に、支え棒3と座棒4の結合形態は実施図面に限らない。
【符号の説明】
【００２０】
1    スライドレール
11   弧形レール溝
2    スライド座
21   ローラエレメント
3    支え棒
4    座棒
5    補助支え板
51   締め付け部
52   グリップ部
6    底板
61   足印
7    ゴルフクラブ
【図１】
0003161529.tif 000003
【図２】
0003161529.tif 000004
【図３】
0003161529.tif 000005
【図４】
0003161529.tif 000006
【図５】
0003161529.tif 000007
【図６】
0003161529.tif 000008
【図７】
0003161529.tif 000009
【図８】
0003161529.tif 000010
【図９】
0003161529.tif 000011
【図１０】
0003161529.tif 000012
【図１１】
0003161529.tif 000013
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
スライドレール、スライド座、支え棒、座棒及び補助支え板を含む、ゴルフのパットとショートスイング動作を模擬練習する装置であって、
スライドレールは選定された行程を具えるレール座で、両端がともに閉鎖状であり、スライド座が滑り動く状態で結合するとともに、支え棒の上端に固定され、スライドレールの本体に少々上へ彎曲する弧形レール溝が設けられ、
スライド座が自由に往復に滑り動くことに供され、スライド座はスライドレールの弧形レール溝と互いに滑り動くよう組み合わされ、それによってスライド座はスライドレールにおいてスムーズに往復に滑り動くことができ、
支え棒の上端にはスライドレールが固定結合され、その下端は伸縮するよう座棒に挿入されて直立固定を形成し、座棒は地面に立てられ、
補助支え板はスライド座の側面と結合し、一端が相対してスライド座の締め付け部に締め付け固定され、他端がグリップ部を具え、
上述ゴルフのパットとショートスイング動作を模擬練習する装置の構成により、スライドレールの弧形レール溝を用いてスライド座を往復に滑り動かすように案内し、ゴルフのクラブを補助支え板のグリップ部に取り付け、同時にゴルフのクラブをグリップして振り動かし、これによってスライド座の一定のスライド行程を経て、正確なパットまたはショートスイング動作を模擬練習することを特徴とする、ゴルフのパットとショートスイング動作を模擬練習する装置。
【請求項２】
前記スライドレールは微小な傾斜角度を備えることを特徴とする、請求項１記載のゴルフのパットとショートスイング動作を模擬練習する装置。
【請求項３】
前記スライドレールの本体は弧形レール溝と組合せられ、同じく微小な上向き彎曲の形状を現すことを特徴とする、請求項１記載のゴルフのパットとショートスイング動作を模擬練習する装置。
【請求項４】
前記スライド座と前記スライドレールは、スライドレール、スライド座、支え棒、座棒及び補助支え板からなる線形スライドレールユニットにより配置構成されたことを特徴とする、請求項１記載のゴルフのパットとショートスイング動作を模擬練習する装置。
【請求項５】
前記座棒の底部には底板が敷設結合されてあることを特徴とする、請求項１記載のゴルフのパットとショートスイング動作を模擬練習する装置。
【請求項６】
前記補助支え板と前記スライド座は一体に組み合わされることを特徴とする、請求項１記載のゴルフのパットとショートスイング動作を模擬練習する装置。
【請求項７】
前記補助支え板は前記スライドレールの一側面に結合されていることを特徴とする、請求項１記載のゴルフのパットとショートスイング動作を模擬練習する装置。
【請求項８】
前記補助支え板は前記スライドレールの他の一側面に結合されていることを特徴とする、請求項１記載のゴルフのパットとショートスイング動作を模擬練習する装置。
【手続補正２】
【補正対象書類名】明細書
【補正対象項目名】全文
【補正方法】変更
【補正の内容】
【考案の詳細な説明】
【技術分野】
【０００１】
本考案はゴルフのパットとショートスイング動作を模擬練習する装置に係り、特にゴルフの初心者が正確なパットとショートスイング等の動作を快速に習い適応するために用いられるものに関する。
【背景技術】
【０００２】
ゴルフにおいて、いかにして正確な打撃動作とクラブのスイング姿勢を築き上げるかは入門初心者の重要な課題である。そこで、初心者は繰り返し一連の動作の模擬練習を通じ、逐次正確なスイングまたはパット等打撃動作に慣れ、それからゴルフボールの飛ぶ径路や方向及び移動距離を把握するので、初心者は繰り返し練習を行い、一貫して変わらない正確なスイング動作を養成しなければならない。ところが、初心者の多くは通常グリーン、芝生または不特定の場所でスイングの動作を行うので、毎回の模擬動作または姿勢は同じにならず、個人の当時の感覚で模索し、短期間内で確実に正確な打撃動作を習得することは難しく、かつ即時有効な矯正が得られず、そのために長期間まと外れな練習をしていることに気づかず、往々にして長期間の経験を積み重ねてから気づくことになる。
【考案の概要】
【考案が解決しようとする課題】
【０００３】
本考案の主な目的はゴルフのパットとショートスイング動作を模擬練習する装置の設計を提供するもので、スライドレールとスライド座の結合を用い、スライドレールの弧形レール溝をもってスライド座が往復に滑り動くよう誘導し、これによって正確なパット径路を築き、ならびに本物のゴルフクラブのグリップと組合せ、パットとショートスイングの軌跡の模擬練習を行うので、初心者は快速に適応することができ、かつ直ちにパットとスイングの動作を修正し、短時間内において正確なパットとスイングの動作を習得することができる。
【０００４】
本考案の次の目的は構造が精巧・簡単なだけでなく、かつ使用が便利であり、前述レールは支え棒に固定され、支え棒は伸縮調整できる方式をもって座棒に挿入結合し、それによってレールの高さは調整変更可能になり、身長の違う初心者に対しても、ともに適用できるゴルフのパットとショートスイング動作を模擬練習する装置の設計を提供するものである。
【０００５】
本考案のもう一つの目的は、前記スライドレールの弧形レール溝は少々上へ彎曲し、スライドレールには微小な傾斜角度を具え、それによって一定のスライド行程を構成することができ、正確なパットまたはショートスイング動作の軌跡を築くことのできる、ゴルフのパットとショートスイング動作を模擬練習する装置の設計を提供するものである。
【課題を解決するための手段】
【０００６】
本考案は、ゴルフのパットとショートスイング動作を模擬練習する装置であり、それはスライドレール、スライド座、支え棒、座棒及び補助支え板を含み、スライド座はスライドレール上を滑り動くよう組み合わされ、スライドレールは支え棒に固定され、支え棒は伸縮可能に座棒に挿入されて直立固定し、スライドレール本体は少々上へ彎曲する弧形レール溝を具えてスライド座が往復に滑り動くよう誘導し、スライドレールは微小な傾斜角度を具え、スライド座は補助支え板と結合し、それにゴルフのパットを補助支え棒に取り付けて同時にグリップに供され、一定のスライド行程により、正確なパットまたはショートスイング動作の模擬軌跡を築き上げる助けとなる。
【図面の簡単な説明】
【０００７】
【図１】本考案の組合せ立体図である。
【図２】本考案の補助支え板を分解した立体意表図である。
【図３】本考案の組合せ平面図である。
【図４】本考案の組合せ正面図である。
【図５】本考案の組合せ側面図である。
【図６】本考案の別の角度の組合せ立体図である。
【図７】本考案のスライドレールとスライド座の組合せ意表図である。
【図８】本考案にゴルフのクラブを取り付ける前の意表図である。
【図９】本考案の使用状態の正面図である。
【図１０】本考案の使用状態の側面図である。
【図１１】本考案の別の同等効果の実施例の説明図である。
【考案を実施するための形態】
【０００８】
図１から図６に示すように、本考案が行う「ゴルフのパットとショートスイング動作を模擬練習する装置」の設計は、スライドレール1、スライド座2、支え棒3、座棒4及び補助支え板5を含む。
【０００９】
スライドレール1は、選定された行程を具えるレールであり、両端は閉鎖状で、かつスライド座2とスライド行程を形成し、スライドレール1は支え棒3の上端に固定され、本体には少々上へ彎曲する弧形レール溝11を具え、それはスライド座2が自由に往復に滑り動くよう誘導し（図４）、かつスライドレール1は微小な傾斜角度を具え（図５）、または前記スライドレール1の本体は弧形レール溝11と組み合わせて同じく少々上へ彎曲する形状を現す。
【００１０】
スライド座2は、図２に示すように、スライドレール1の弧形レール溝11と組み合わせてスライドされ、線形スライドレールユニットの配置を実施例としているが（図7に示すように、スライド座2内にはローラーエレメント21が設けられる）、スライド座2とスライドレール1の取り付けの実施構成は特に制限がなく、スライド座2がスライドレール1内でスムーズに往復に滑ればよい。
【００１１】
支え棒3は、スライドレール1の上端での結合に用いられ、棒の下端は伸縮可能で座棒4に挿入されて直立固定を形成し、必要時は支え棒3と座棒4の伸縮結合を調整でき、それによってスライドレール1の取り付け高さを変更し、身長の違う初心者にもすべて適用できる。
【００１２】
座棒4は、地面に立つことに用いられ、図に示すように、座棒4の底部に更に底板6を敷設結合させ、かつ底板6の表面に予め二つの足印61が設けられ、使用者の立ち位置の参考に用いられる。
【００１３】
補助支え板5は、スライド座2の側面に付随結合し、それの一端は相対してスライド座2に締め付け固定される締め付け部51であり、他の一端にはゴルフクラブ7の取り付けに用いられるグリップ部52を具える（図面に示すのはパットに使われるパター7である）。
【００１４】
上述ゴルフのパットとショートスイング動作を模擬練習する装置の構成はスライドレール1の弧形レール溝11を用い、スライド座2が往復の滑りを形成するよう誘導し、使用時はゴルフのクラブ7を補助支え板5のグリップ部52に取り付け、同時にゴルフのクラブ7を握って振り動かし、これによってスライド座2の一定のスライド行程を通過し、更に進んで正確なゴルフのパット（またはショートスイング）動作を模擬練習する。図８から図10に示すのはパットの動作を模擬した状態の意表図であり、特にパットに使われるパター7を採用しているが、必要時はショートスイングに使われるクラブに変えてもよく、使用上の制限はない。
【００１５】
また、上述スライドレール1及び弧形レール溝11の全長はパットまたはショートスイングに必要な軌跡行程によって増減または変更することができ、例えばパットに必要な軌跡行程はやや短いが、ショートスイングに必要な軌跡行程は相対してやや長いので、スライドレール1及び弧形レール溝11の全長は予め適当な長さにし、図に示されるスライドレール1は代表的な実施例であり、それはスライドレール1及び弧形レール溝11の全長を制限するものではない。
【００１６】
上述補助支え板5は、スライドレール1に微少な外向きの傾斜角度を具え、グリップ部52にも同じ傾斜角度を具えるので（図５）、ゴルフクラブ7はグリップ部52に取り付けてグリップすることができ、この場合ゴルフクラブ7は同じく正確なグリップ姿勢に符合する角度を具える（図１０）。以上は本考案が取り上げた実施例であり、同じ原理の応用に基づき、相対した同等効果の例を実施してもよく、例えば前記スライドレール1に微少な外向きの傾斜角度を具えない場合、補助支え板5のグリップ部52に上記傾斜角度と同じ傾きを形成でき、そのためにグリップ部52の傾きを用いて、ゴルフクラブ7が取り付けられてグリップされた場合、依然正確なグリップ姿勢に符合する同じ角度を維持することができる。
【００１７】
このほか、上述補助支え板5とスライド座2は、必要時に二つの部品を一体に組み合わせてもよく、例えばスライド座2の一端を延伸してグリップ部52を具える補助支え板5に形成してもよい。
【００１８】
図１１に示すのは別の同等効果の実施例であり、同じ設計手段に基づき、補助支え板5を逆方向にスライドレール1の別の一側に結合するだけで同じ効果を得ることができ、補助支え板5をスライドレール1のどちらの側面に結合することも、すべて可能な形態である。
【００１９】
本考案の構成により、前記支え棒3と座棒4の接続結合は唯一の実施例ではなく、例えば支え棒3と座棒4を枢接または折り畳み等各種構造を採用して入れ替えてもよく、故に、支え棒3と座棒4の結合形態は実施図面に限らない。
【符号の説明】
【００２０】
1    スライドレール
11   弧形レール溝
2    スライド座
21   ローラーエレメント
3    支え棒
4    座棒
5    補助支え板
51   締め付け部
52   グリップ部
6    底板
61   足印
7    ゴルフクラブ
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
スライドレール、スライド座、支え棒、座棒及び補助支え板を含む、ゴルフのパットとショートスイング動作を模擬練習する装置であって、
スライドレールは選定された行程を具えるレール座で、両端がともに閉鎖状であり、スライド座が滑り動く状態で結合するとともに、支え棒の上端に固定され、スライドレールの本体に少々上へ彎曲する弧形レール溝が設けられ、
スライド座が自由に往復に滑り動くことに供され、スライド座はスライドレールの弧形レール溝と互いに滑り動くよう組み合わされ、それによってスライド座はスライドレールにおいてスムーズに往復に滑り動くことができ、
支え棒の上端にはスライドレールが固定結合され、その下端は伸縮するよう座棒に挿入されて直立固定を形成し、座棒は地面に立てられ、
補助支え板はスライド座の側面と結合し、一端が相対してスライド座の締め付け部に締め付け固定され、他端がグリップ部を具え、
上述ゴルフのパットとショートスイング動作を模擬練習する装置の構成により、スライドレールの弧形レール溝を用いてスライド座を往復に滑り動かすように案内し、ゴルフのクラブを補助支え板のグリップ部に取り付け、同時にゴルフのクラブをグリップして振り動かし、これによってスライド座の一定のスライド行程を経て、正確なパットまたはショートスイング動作を模擬練習することを特徴とする、ゴルフのパットとショートスイング動作を模擬練習する装置。
【請求項２】
前記スライドレールは微小な傾斜角度を備えることを特徴とする、請求項１記載のゴルフのパットとショートスイング動作を模擬練習する装置。
【請求項３】
前記スライドレールの本体は弧形レール溝と組合せられ、同じく微小な上向き彎曲の形状を現すことを特徴とする、請求項１記載のゴルフのパットとショートスイング動作を模擬練習する装置。
【請求項４】
前記スライド座と前記スライドレールは、スライドレール、スライド座、支え棒、座棒及び補助支え板からなる線形スライドレールユニットにより配置構成されたことを特徴とする、請求項１記載のゴルフのパットとショートスイング動作を模擬練習する装置。
【請求項５】
前記座棒の底部には底板が敷設結合されてあることを特徴とする、請求項１記載のゴルフのパットとショートスイング動作を模擬練習する装置。
【請求項６】
前記補助支え板と前記スライド座は一体に組み合わされることを特徴とする、請求項１記載のゴルフのパットとショートスイング動作を模擬練習する装置。
【請求項７】
前記補助支え板は前記スライドレールの一側面に結合されていることを特徴とする、請求項１記載のゴルフのパットとショートスイング動作を模擬練習する装置。
【請求項８】
前記補助支え板は前記スライドレールの他の一側面に結合されていることを特徴とする、請求項７記載のゴルフのパットとショートスイング動作を模擬練習する装置。